(57)【要約】【課題】マルチメディアファイルのコピーを防止または阻害するための方法を提供する。【解決手段】第１の動作および／または第２の動作を実行するように、ファイルに対してセキュリティソフトウェアコードをインストールすることが開示される（２００）。第１の動作は、ファイルの読出しを所定レートに制限する（１００）。第２の動作は、所定時間後にファイルをアクセス不能にする（１５０）。このセキュリティソフトウェアコードを実行して、第１の動作および／または第２の動作を実行する（２１２）。【選択図】図２
2004348731.tif 000002
【特許請求の範囲】
【請求項１】
ファイルの読出しを所定レートに制限することを含む第１の動作と、
前記ファイルを所定時間後にアクセス不能にすることを含む第２の動作と、
のうちの少なくとも１つを実行するように前記ファイルにセキュリティソフトウェアコードをインストールするステップと、
前記セキュリティソフトウェアコードを実行して、前記第１の動作と前記第２の動作とのうちの少なくとも１つを実行するステップと、
を含む方法。
【請求項２】
前記ファイルに前記セキュリティソフトウェアコードをインストールするステップが、前記ファイル内に前記セキュリティソフトウェアコードを埋め込むステップを含む、請求項１に記載の方法。
【請求項３】
前記ファイルに前記セキュリティソフトウェアコードをインストールするステップが、前記ファイルもまたコピーされるコンピュータ読取可能媒体に前記セキュリティソフトウェアコードをコピーするステップを含む、請求項１に記載の方法。
【請求項４】
前記ファイルを読み出すことができるレートを前記所定レートに制限するステップが、前記ファイルを読み出すことができる前記レートを、再生は妨げられないが高速コピーは防止されるレートに制限するステップを含む、請求項１に記載の方法。
【請求項５】
前記所定時間後に前記ファイルをアクセス不能にするステップが、前記所定時間後に前記ファイルを消去するステップを含む、請求項１に記載の方法。
【請求項６】
前記所定時間後に前記ファイルをアクセス不能にするステップが、前記所定時間後に前記ファイルの１つまたは複数のファイルヘッダを使用不能にするステップを含む、請求項１に記載の方法。
【請求項７】
前記セキュリティソフトウェアコードを実行するステップが、前記所定レート以下のレートで前記ファイルを読み出すステップを含む、請求項１に記載の方法。
【請求項８】
前記セキュリティソフトウェアコードを実行するステップが、前記所定時間後の前記ファイルのアクセス時に前記ファイルをアクセス不能にするステップを含む、請求項１に記載の方法。
【請求項９】
前記セキュリティソフトウェアコードを生成するステップをさらに含む、請求項１に記載の方法。
【請求項１０】
前記セキュリティソフトウェアコードを実行することが前記ファイルの読出しと同時に実行されるように、前記ファイルを読み出すステップをさらに含む、請求項１に記載の方法。
【発明の詳細な説明】
【技術分野】
【０００１】
本発明は、一般に、ファイルのコピーの防止または阻害に関し、特に、マルチメディアファイルのコピーの防止または阻害に関する。
【背景技術】
【０００２】
マルチメディアは、一般に普及した、消費者によるコンピュータの利用法となり、それが将来、音楽用のコンパクトディスク（ＣＤ）および映画用のデジタル多用途ディスク（ＤＶＤ）等、現行の流通経路に大きく置換わることを期待する人もいる。ユーザは、音楽および映画ファイル等のマルチメディアファイルを、コンピュータでまたはポータブルプレイヤー機器で再生するために自身のコンピュータにダウンロードする。たとえば、ユーザは、音楽ファイルをポータブルプレイヤー機器に転送する場合があり、それによって家以外の他の場所で音楽を聴くことができるようになる。ユーザはまた、ＣＤまたはＤＶＤからコンテンツを抽出することができ（「リッピング」として知られるプロセス）、結果としてのマルチメディアファイルを自身のコンピュータに保存することができる。
【発明の開示】
【発明が解決しようとする課題】
【０００３】
製作者および販売業者は、ユーザが彼らに報酬を支払うことなしにファイルを交換するかまたは人にあげる可能性があるため、かかる容易に配布可能なマルチメディアファイルが著作権侵害を増加させていると危惧している。特定の映画または特定のアーティストの歌に興味のあるユーザは、たとえば、かかるコンテンツを、それに対して報酬を支払うことなくインターネットによるかまたは友人を介して無料で受け取ろうとする場合がある。その結果、主要な映画スタジオおよび音楽会社は、ユーザが最初にコンテンツをダウンロードするために支払いをし、その後はそれを会社に対する報酬なしに自由に配布することができるため、自身のインターネットウェブサイトを開設したがらない。
【課題を解決するための手段】
【０００４】
本発明の実施形態の方法は、第１の動作と第２の動作とのうちの少なくとも１つを実行するように、ファイルに対してセキュリティソフトウェアコードをインストールすることを含む。第１の動作は、ファイルの読出しを所定レートに制限することを含む。第２の動作は、所定時間後にファイルをアクセス不能にすることを含む。このセキュリティソフトウェアコードを、第１の動作と第２の動作とのうちの少なくとも１つを行うように実行する。
【発明を実施するための最良の形態】
【０００５】
本発明の例示的な実施形態の以下の詳細な説明では、本発明を実施することのできる特定の例示的な実施形態を示す添付図面を参照する。本発明の精神または範囲から逸脱することなく、他の実施形態を利用してもよい。
【０００６】
図１Ａおよび図１Ｂは、本発明の実施形態による、セキュリティソフトウェアコードがファイル１０２に対して実行され得る、夫々２つの異なるタイプの動作１００および１５０を示す。ファイル１０２は、音楽ファイル、映画ファイルまたは別のタイプのマルチメディアファイル等、いかなるタイプのデータファイルまたは電子情報であってもよい。
【０００７】
図１Ａにおいて、動作１５０は、所定時間後にファイル１０２をアクセス不能にすることを含む。時刻ｔ1１０８において、ファイル１０２はアクセス可能である。しかしながら、後の時刻ｔ2１１０において、セキュリティソフトウェアコードは、×印１０４によって示すように、ファイル１０２をアクセス不能にする。矢印１０６は、少なくともその所定時間の経過を表す。このように、セキュリティソフトウェアコードは、ファイル１０２が無期限にアクセス可能ではなく、所定時間のみアクセス可能であることを保証することにより、セキュリティを提供する。
【０００８】
図１Ｂにおいて、動作１００は、ファイル１０２を読み出すことができるレートを所定レートに制限することを含む。たとえばマルチメディアファイルの場合、ファイル１０２を再生することができるレートを制限する。特に図１Ｂに示すように、ファイル１０２を読み出すことができるレートを所定レートに制限することにより、ユーザが意図するようにファイルを再生することを妨げることなく、ファイル１０２をコピーすることができる速度またはレートを制限する。オリジナルファイル１０２は、最初、高速レート１０５でファイルのコピー１０２’としてコピーすることができる。比較して、セキュリティソフトウェアコードは、ファイル１０２をファイル１０２’としてコピーすることができるレートを、高速レート１０５より低速な低速レート１０７に制限する。このように、セキュリティソフトウェアコードは、ファイル１０２をコピーするプロセスを時間のかかる不便なものにすることによりセキュリティを提供する。
【０００９】
図２は、本発明の実施形態による方法２００を示す。上述したように、ファイル１０２に対するセキュリティソフトウェアコードを生成し（２０２）、ファイル１０２に関連してインストールする（２０４）。たとえば、セキュリティソフトウェアコードを、ファイル１０２内に埋め込んでもよい。セキュリティソフトウェアコードは、図１Ａおよび図１Ｂ夫々の動作１５０および１００のうちの少なくとも１つを実施する。ファイル１０２は、ユーザが任意選択でダウンロードし（２０６）および／またはコピーする（２０８）ことができる。ファイル１０２が、読み出す、再生する、またはコピーする等によりアクセスされると（２１０）、セキュリティソフトウェアコードを実行して、セキュリティ動作１５０および１００のいずれかまたは両方を行う（２１２）。このコードを、ファイル１０２の読出しまたはアクセスと同時に実行してもよい。
【００１０】
図３Ａおよび図３Ｂは、本発明の種々の実施形態による、セキュリティソフトウェアコード３０２をファイル１０２に関連してコンピュータ読取可能媒体３００にいかにインストールするかを示す。コンピュータ読取可能媒体３００は、フレキシブルディスク、メモリカード、永久的にまたは取外し可能に機器内に存在するメモリ、あるいは光ディスク等、製品の一部であっても、揮発性または不揮発性媒体であっても、取外し可能または固定媒体であっても、あるいは磁気、光および／または固定媒体であってもよい。
【００１１】
図３Ａにおいて、セキュリティソフトウェアコード３０２は、ファイル１０２内に埋め込まれ、コンピュータ読取可能媒体３００に格納されている。比較して、図３Ｂでは、セキュリティソフトウェアコード３０２は、コンピュータ読取可能媒体３００にコピーされ、この媒体３００に対して、ファイル１０２もまたコピーされ、または別の方法で格納されている。図３Ｂにおいて破線３０４によって示すように、セキュリティソフトウェアコード３０２は、ファイル１０２に対してセキュリティを提供し、それによりファイル１０２に関連する。
【００１２】
本発明の種々の特定の実施形態による、セキュリティソフトウェアコード３０２によりファイル１０２をアクセス不能とすることができる方法を、図４Ａ乃至図４Ｂおよび図５Ａ乃至図５Ｂを参照して説明する。図４Ａおよび図４Ｂは、経過後にセキュリティソフトウェアコード３０２がファイル１０２をアクセス不能にする所定時間を、いかにたどることができるかの２つの異なる方法４００および４４０を示す。セキュリティソフトウェアコード３０２は、他の方法で同様に、経過後にファイル１０２をアクセス不能にする所定時間をたどってもよい。
【００１３】
図４Ａにおいて、セキュリティソフトウェアコード３０２は、好ましくは、ファイル１０２に開始時刻４０２と終了時刻４０４とをともに関連付ける。したがって、所定時間は、終了時刻４０４と開始時刻４０２との間の差である。現在時刻が終了時刻４０４を過ぎると、セキュリティソフトウェアコード３０２は、ファイル１０２をアクセス不能にする。
【００１４】
図４Ｂにおいて、セキュリティソフトウェアコード３０２は、好ましくは、ファイル１０２に可能な再生の最大数４４２を関連付け、またすでに発生した再生の数４４４を追跡する。再生の数４４４が可能な再生の最大数４４２以上になると、セキュリティソフトウェアコード３０２は、ファイル１０２をアクセス不能にする。再生は、ファイル１０２が完全に読出されるかまたはストリーミングされるかに係らず、ファイル１０２が読出されまたはストリーミングされ始める時はいつでも、ファイル１０２の完全な読出しまたはストリーミングとして定義することができる。また、再生を、ファイル１０２のいかなるタイプのアクセスとして、またはユーザが実際にファイル１０２を聴きまたは閲覧するアクセスとして、定義してもよい。
【００１５】
本発明の実施形態による、セキュリティソフトウェアコード３０２が、所定時間を超過した後にファイル１０２をアクセス不能とすることができる特定の方法を、図５Ａおよび図５Ｂを参照して説明する。図５Ａにおいて、まとめてファイルブロック５０２と呼ぶファイルブロック５０２Ａ、５０２Ｂ、…、５０２Ｎのリスト５００は、ファイル１０２がコンピュータ読取可能媒体にいかに格納されるかを示す。ファイルブロック５０２の各々は、ファイル１０２によって表される音楽、映画または他のタイプのデータであるデータを含む。通常は互いに隣接していないファイルブロック５０２を、コンピュータ読取可能媒体上の異なる場所に格納する。
【００１６】
また、そのため、ファイルブロック５０２Ａ、５０２Ｂ、…、５０２Ｎは、ファイルブロックを連続したファイルブロックにリンクする、まとめてヘッダ５０４と呼ぶヘッダ５０４Ａ、５０４Ｂ、…、５０４Ｎを含む。たとえば、ファイルブロック５０２Ａは、ファイルブロック５０２Ｂにリンクするファイルヘッダ５０６Ａを有し、ファイルブロック５０２Ｂはファイルヘッダ５０６Ｂを有し、最後のファイルヘッダ５０６Ｎは、ファイルブロックをファイルブロック５０２Ｎにリンクする。ファイルブロックを連続したファイルブロックにリンクすることにより、現ファイルブロックが読み出され、再生されまたは他の方法でアクセスされた後に、次のファイルブロックの位置を特定することができる。
【００１７】
図５Ｂにおいて、ソフトウェアセキュリティコード３０２は、ファイルブロック５０２のファイルヘッダ５０４を消去するかまたは並べ替えることによりファイル１０２を使用不能にしている。ファイル１０２を使用不能にすることにより、ファイルブロックの新たなリスト５５０がもたらされる。ファイルヘッダ５０４を使用不能であるものとすることを、図５Ｂにおいてファイルヘッダ５０４の陰影によって示す。このため、ファイルブロック５０２が依然として存在しファイルブロック５０２内に含まれるデータが依然として存在するが、ファイルヘッダ５０４によって先に達成されたようなファイルブロック５０２のリンクはすでに存在しない。
【００１８】
したがって、ドライバ、コントローラまたは他のタイプのコンピュータプログラムは、コンピュータ読取可能媒体上の格納されたファイルブロック５０２の場所が分らなくなり、ファイルブロック５０２のリストによって表されるファイル１０２を効果的に使用不能とする。コンピュータプログラムは、ファイルブロック５０２が格納されるコンピュータ読取可能媒体のどこにファイルブロック５０２が位置しているかが分らなくなる。また、コンピュータプログラムは、通常は、コンピュータ読取可能媒体に格納されている他の実際のまたはランダムなデータからファイルブロック５０２を識別することさえできなくなり、ファイル１０２を効果的に使用不能とする。
【００１９】
セキュリティソフトウェアコード３０２は、図５Ａおよび図５Ｂに関して説明したものとは異なる方法でファイル１０２をアクセス不能または使用不能とすることができる。たとえば、ファイル１０２自体のファイルブロック内のデータを消去すること等により、ファイル１０２自体を消去してもよい。
【００２０】
図６Ａ、図６Ｂ、図７Ａおよび図７Ｂは、本発明の実施形態による、ファイル１０２を読み出すことができるレートをセキュリティソフトウェアコード３０２によって制限する方法を示す。図６Ａおよび図６Ｂは、特に、ファイル１０２のレート制限なしのアクセスを示す。図６Ａの図６００では、ソース６０２は、データを３番目の時間間隔ごとに検索することができるような、特定のアクセスレートを有する。このため、夫々時間間隔ｔ1、ｔ2、ｔ3、ｔ4およびｔ5を表す時間間隔６０６Ａ、６０６Ｂ、６０６Ｃ、６０６Ｄおよび６０６Ｅでは、図６Ａの陰影によって示すように、２つの時間間隔、すなわち間隔６０６Ａおよび６０６Ｄにおいてソース６０２のファイル１０２にアクセスすることができる。ソース６０２は、たとえば、ファイル１０２が格納されるコンピュータ読取可能媒体３００であってよい。
【００２１】
通信リンク６０４もまた、図６Ａの図６００において、データを１つおきの時間間隔ごとに送信することができるような特定のアクセスレートを有する。このため、時間間隔６０６Ａ、６０６Ｂ、６０６Ｃ、６０６Ｄおよび６０６Ｅでは、同様に図６Ａにおいて陰影によって示すように、２つの時間間隔ごとに、すなわち間隔６０６Ａ、６０６Ｃおよび６０６Ｅにおいて、ファイル１０２を通信により送信することができる。通信リンク６０４は、たとえば、ファイル１０２を別のコンピューティング装置に送信する方法であってよい。たとえば、ソース６０２および通信リンク６０４が、ポータブルミュージックプレイヤー等、ポータブルコンピューティング装置の一部である場合、通信リンク６０４は、そのコンピューティング装置をデスクトップコンピュータ等の機器に接続するシリアルまたは他のタイプのケーブルを含んでもよい。
【００２２】
図６Ａの図６００において、通信リンク６０４はソース６０２より高速である。通信リンク６０４がデータを送信することができるレートは、ソース６０２が送信すべきデータを提供することができるレートより高速である。したがって、第１の時間間隔６０６Ａにおいてソース６０２から読出されたデータは、矢印６０８によって示すように、この時間間隔６０６Ａにおいて通信リンク６０４により送信することができる。時間間隔６０６Ｃでは、通信リンク６０４は、送信するいかなるデータも受取らない。そして、時間間隔６０６Ｄにおいてソース６０２から読み出されたデータは、矢印６１０によって示すように、時間間隔６０６Ｅにおいて通信リンク６０４によって送信することができる。
【００２３】
図６Ｂにおいて、図６５０は、ファイル１０２のデータを、データを通信リンク６０４によって送信することができるレートより高速なレートで、ソース６０２から読み出すことができる逆のシナリオを示す。時間間隔６０６Ａにおいてソース６０２から読み出されたデータを、矢印６１２によって示すように、ここでもまた同じ時間間隔６０６Ａにおいて通信リンク６０４によって送信することができる。時間間隔６０６Ｃにおいてソース６０２から読み出されたデータを、矢印６１４によって示すように、時間間隔６０６Ｄにおいて通信リンク６０４により送信する。最後に、時間間隔６０６Ｅにおいてソース６０２から読み出されたデータを、最初の５つの時間間隔６０６Ａ、６０６Ｂ、６０６Ｃ、６０６Ｄおよび６０６Ｅにおいて送信することはできない。
【００２４】
図７Ａおよび図７Ｂは、本発明の実施形態による、セキュリティソフトウェアコード３０２が、ファイル１０２からデータを読み出すレートをいかにして制限することができるかを示す。図７Ａは、特に、３間隔ごとにソース６０２からデータを読み出すことができ、１つおきの間隔ごとに通信リンク６０４により送信することができる、図６Ａのシナリオに対応する。ソース６０２と通信リンク６０４との間に、スロットル７０２を挿入する。スロットル７０２の所定レートにより、間隔６０６Ａ中等、５間隔ごとに１回、ソース６０２から通信リンク６０４に送信することができる。
【００２５】
このように、ソース６０２から読み出されたデータを、時間間隔６０６Ａ内に、矢印７０４によって示すようにスロットル７０２を介して、矢印７０６によって示すようにスロットル７０２から通信リンク６０４により送信する。間隔６０６Ｄにおいてソース６０２からさらなるデータを読み出すことができるが、スロットル７０２により、通信リンク６０４によってデータを送信することができない。同様に、間隔６０６Ｃおよび６０６Ｅにおいてさらなるデータを通信リンク６０４によって送信することができるが、スロットル７０２により、データをソース６０２から通信リンク６０４に転送することができない。
【００２６】
図７Ｂは、特に、１つおきの間隔ごとにソース６０２からデータを読み出すことができそれを３番目の間隔ごとに通信リンク６０４によって送信することができる、図６Ｂのシナリオに対応する。ソース６０２と通信リンク６０４との間にスロットル７０２を挿入する。スロットルの所定レートにより、間隔６０６Ａ中等、５間隔ごとに１回、ソース６０２から通信リンク６０４にデータを送信することができる。このため、時間間隔６０６Ａ内で、ソース６０２から読み出されたデータを、矢印７０８によって示すようにスロットル７０２を介し、矢印７１０によって示すようにスロットル７０２から通信リンク６０４によって送信する。
【００２７】
上述したように、間隔６０６Ｃおよび６０６Ｅにおいてソース６０２からさらなるデータを読み出すことができるが、スロットル７０２により、データを通信リンク６０４によって送信することができない。同様に、間隔６０６Ｄにおいて通信リンク６０４によりさらなるデータを送信することができるが、スロットル７０２により、データをソース６０２から通信リンク６０４に転送することができない。したがって、ソース６０２からデータを読み出すことができる元のレートに係らず、セキュリティソフトウェアコード３０２は、スロットル７０２を通して、より低い所定レートまでレートを制限することができる。
【００２８】
さらに、セキュリティソフトウェアコード３０２によって課されるような、ファイル１０２を読み出すことができる制限的な所定レートは、ファイル１０２の再生を妨げないが、ファイル１０２の高速コピーを防止する、というものである。ファイル１０２の通常の再生スピードより大幅に高速であるが、ファイル１０２をコピーすることができる最大レートより大幅に低い所定レートを有することにより、ファイル１０２の有用性は低減しないが、コピー時間が不都合なほどに長くなる。したがって、レートを、ファイル１０２をコピーすることができる最大レートより大幅に低いレートに制限することによって高速コピーを防止することは、著作権侵害に対する阻害要因として作用する。
【００２９】
図８は、典型的なコンピューティング装置８００を示す。コンピューティング装置８００は、コンピュータ読取可能媒体３００と、コントローラ８０２と、通信機構８０４と、を有する。媒体３００は、取外し可能であっても固定であってもよく、揮発性であっても不揮発性であってもよい。コントローラ８０２を、ハードウェアで実装しても、ソフトウェアで実装しても、あるいはハードウェアとソフトウェアとの組合せで実装してもよい。通信機構８０４は、装置８００が図１のファイル１０２等のデータを他のコンピューティング装置との間で送受信する方法である。装置８００は、デスクトップまたはラップトップコンピュータ等の汎用コンピュータであっても、専用のミュージックプレイヤー等の専用機器であっても、別のタイプのコンピューティング装置であってもよい。
【００３０】
このように、媒体３００は、上述したようにセキュリティソフトウェアコード３０２が関連付けられたファイル１０２の格納を受入れる。コントローラ８０２は、少なくとも、セキュリティソフトウェアコード３０２に基づくか、または別の方法で従って、ファイル１０２の読出し等、ファイル１０２の再生に使用される。コントローラ８０２は、セキュリティソフトウェアコード３０２を実行して、上述したように、ファイル１０２を再生することができるレートを所定レートに制限しかつ／またはファイル１０２を所定時間後にアクセス不能とすることができる。コントローラ８０２自体が、ファイル１０２が媒体３００に格納される際またはその後にファイル１０２にセキュリティソフトウェアコード３０２を追加してもよい。代替的に、ファイル１０２には、媒体３００へのファイル１０２の格納の前に、すでにコード３０２が埋め込まれていてもよい。上述したように、コード３０２をファイル１０２内に埋め込んでもファイル１０２外に埋め込んでもよい。
【図面の簡単な説明】
【００３１】
【図１Ａ】本発明の実施形態によるセキュリティソフトウェアコードが実行することができる２つの動作のうちの１つを示す図である。
【図１Ｂ】本発明の実施形態によるセキュリティソフトウェアコードが実行することができる２つの動作のうちの１つを示す図である。
【図２】本発明の実施形態による方法のフローチャートである。
【図３Ａ】本発明の実施形態による、セキュリティソフトウェアコードを、データファイル等のファイルに関連していかにコンピュータ読取可能媒体に格納することができるかを示す図である。
【図３Ｂ】本発明の実施形態による、セキュリティソフトウェアコードを、データファイル等のファイルに関連していかにしてコンピュータ読取可能媒体に格納することができるかを示す図である。
【図４Ａ】本発明の実施形態による、セキュリティソフトウェアコードが、所定時間後にファイルをいかにしてアクセス不能にすることができるかを示す図である。
【図４Ｂ】本発明の実施形態による、セキュリティソフトウェアコードが、所定時間後にファイルをいかにしてアクセス不能にすることができるかを示す図である。
【図５Ａ】本発明の実施形態による、セキュリティソフトウェアコードが、所定時間後にファイルをいかにしてアクセス不能にすることができるかを示す図である。
【図５Ｂ】本発明の実施形態による、セキュリティソフトウェアコードが、所定時間後にファイルをいかにしてアクセス不能にすることができるかを示す図である。
【図６Ａ】本発明の実施形態による、セキュリティソフトウェアコードが、ファイルを読み出すことができるレートをいかにして制限することができるかを示す図である。
【図６Ｂ】本発明の実施形態による、セキュリティソフトウェアコードが、ファイルを読み出すことができるレートをいかにして制限することができるかを示す図である。
【図７Ａ】本発明の実施形態による、セキュリティソフトウェアコードが、ファイルを読み出すことができるレートをいかにして制限することができるかを示す図である。
【図７Ｂ】本発明の実施形態による、セキュリティソフトウェアコードが、ファイルを読み出すことができるレートをいかにして制限することができるかを示す図である。
【図８】典型的なコンピューティング装置であって、それに従って本発明の実施形態を実施することができるコンピューティング装置のブロック図である。
【符号の説明】
【００３２】
３００：コンピュータ読取可能媒体
８００：コンピューティング装置
８０２：コントローラ
８０４：通信機構
【図１Ａ】
2004348731.tif 000003
【図１Ｂ】
2004348731.tif 000004
【図２】
2004348731.tif 000005
【図３Ａ】
2004348731.tif 000006
【図３Ｂ】
2004348731.tif 000007
【図４Ａ】
2004348731.tif 000008
【図４Ｂ】
2004348731.tif 000009
【図５Ａ】
2004348731.tif 000010
【図５Ｂ】
2004348731.tif 000011
【図６Ａ】
2004348731.tif 000012
【図６Ｂ】
2004348731.tif 000013
【図７Ａ】
2004348731.tif 000014
【図７Ｂ】
2004348731.tif 000015
【図８】
2004348731.tif 000016